(57)【要約】      （修正有）【課題】紛失のおそれの少ない脱着式の消しゴムを簡易な構造で提供する。【解決手段】消しゴム１は、平板状のハート型に形成された消しゴム本体７と、該本体７の端部の取付部８とを有している。この取付部８には、リングノート２の綴りリング３に着脱自在に係合する三つの係合溝９が形成されている。各係合溝９は各綴りリング３間の間隔と同等に設定されている。各係合溝９は、取付部８を鍵穴状に切り欠いて形成され、取付部８の側端部から前記本体７に向かって長方形状に形成された細溝と、細溝から連続形成された円形状の幅広孔を有している。この両者間の内周縁には綴りリング３に係止する係止部が形成されている。【選択図】図１
2010228398.tif 000002
【特許請求の範囲】
【請求項１】
筆記用紙を連結する複数の綴りリングを備えたノート類に着脱自在に取り付けられる脱着消しゴムの構造であって、
前記消しゴムに、任意の前記綴りリングに着脱自在に係合する係合溝を設けたことを特徴とする脱着消しゴムの構造。
【請求項２】
前記係合溝は、板状に形成された前記消しゴムの端部に複数個が形成されているとともに、
前記各係合溝間の間隔が、前記各綴りリング間の間隔と同等に設定されていることを特徴とする請求項１記載の脱着消しゴムの構造。
【請求項３】
前記係合溝は、前記消しゴムの端部に形成された細溝と、該細溝に連続形成された幅広孔とを有し、
前記両者間の内周縁が前記綴りリングに係止することを特徴とする請求項１または２のいずれか１項に記載の脱着消しゴムの構造。
【請求項４】
前記両者間の内周縁を円弧状に形成したことを特徴とする請求項３記載の脱着消しゴムの構造。
【請求項５】
前記消しゴムを、任意のモチーフの形状に応じて成形したことを特徴とする請求項１〜４のいずれか１項に記載の脱着消しゴムの構造。
【発明の詳細な説明】
【技術分野】
【０００１】
本発明は、例えばリングノートやシステム手帳などのノート類に着脱自在に取り付けられる脱着消しゴムの構造に関する。
【背景技術】
【０００２】
周知のように、シャープペンシルや鉛筆などの筆記具には後端部に消しゴムを備え付けたタイプが少なくない。このタイプの筆記具は、筆箱などに収容されたり、あるいはシステム手帳などのペン指しに取り付けられ、必要に応じて備え付けの消しゴムで記入ミスを消字することができる。
【０００３】
ところが、筆記具に備え付けの消しゴムは、小さくて使いづらく、折れたり紛失することがあり、消字性も優れてはない。そこで、リングノートやシステム手帳などのノート類に着脱自在な消しゴムが提案されている。
【０００４】
図５（ａ）（ｂ）に基づいて概略を説明すれば、システム手帳などの綴りリング３１に磁石３２が固定されている一方、消しゴム３４に金具３３がはめ込み式で取り付けられている。ここでは前記磁石３２の磁力によって前記金具３３が着脱自在に取り付けられ、必要に応じて前記消しゴム３４をシステム手帳などから取り外して、誤記などの消字に使用される。この脱着消しゴムは特許文献１に記載されている。
【先行技術文献】
【特許文献】
【０００５】
【特許文献１】特開２０００−１５９９０
【発明の概要】
【発明が解決しようとする課題】
【０００６】
しかしながら、磁石３２の磁力で金具３３を着脱させていることから、消しゴム３４が外れやすく、紛失のおそれが少なくない。また、金具３３を消しゴム３４に挟み込まなければならないため、部品点数が増加し、消しゴムの製造コストを高騰するおそれもある。
【０００７】
本発明は、上述のような問題点を解決するためになされたものであり、簡易な構造で確実に取り付けられる脱着消しゴムを提供することを解決課題とする。
【課題を解決するための手段】
【０００８】
そこで、本発明は、筆記用紙を連結する複数の綴りリングを備えたノート類に着脱自在に取り付けられる脱着消しゴムの構造であって、前記消しゴムに、任意の前記綴りリングに着脱自在に係合する係合溝を設けたことを特徴とする。
【０００９】
前記係合溝の一態様は、板状に形成された前記消しゴムの端部に複数個が形成されているとともに、前記各係合溝間の間隔が、前記各綴りリング間の間隔と同等に設定されていることを特徴とする。
【００１０】
前記係合溝の他の態様は、前記係合溝が前記消しゴムの端部に形成された細溝と、該細溝に連続形成された幅広孔とを有し、前記両者間の内周縁が前記綴りリングに係止することを特徴とする。
【００１１】
前記係合溝のさらに他の態様は、前記両者間の内周縁を円弧状に形成したことを特徴とする。なお、前記消しゴムを任意のモチーフの形状に応じて成形してもよい。
【発明の効果】
【００１２】
本発明によれば、係合溝がノート類の綴りリングに係合するため、簡易な構造で確実に取り付けられ、この意味で消しゴムの紛失が抑制される。
【図面の簡単な説明】
【００１３】
【図１】本発明の実施形態に係る消しゴムをリングノートに取付けた状態を示す斜視図。
【図２】同  消しゴムの正面図
【図３】同  複数の消しゴムをリングノートに取付けた斜視図。
【図４】本発明の他例を示す斜視図
【図５】従来例の分解斜視図
【発明を実施するための形態】
【００１４】
図１は、本発明の実施形態に係る脱着消しゴムを、リングノートに適用した事例を示している。ここでは前記消しゴム１は、リングノート２の綴りリング３に着脱自在に取り付けられている。
【００１５】
すなわち、前記リングノート２は、表裏一対の図示省略の表紙と、該表紙間に配設された多数の筆記用紙５と、前記各表紙および前記各筆記用紙５の側端部に縦一列に形成された複数の綴り穴６と、該各綴り穴にそれぞれ挿通される上下一対（ペア）の前記綴りリング３とを有している。
【００１６】
前記消しゴム１は、非塩ビ材料を配合してなり、ＳＢＳ樹脂（スチレン−ブタジエン−スチレン共重合樹脂）、プロセスオイル（ＳＢＳ樹脂軟化材）、オレフィン樹脂（ＰＰ樹脂・ＰＥ樹脂）、充填剤（炭酸カルシウムなど）を主成分に構成されている。
【００１７】
具体的には、前記消しゴム１は、キャラクターなどの任意のモチーフ形状に応じて成型される。ここでは前記消しゴム１は、厚さ１ｍｍ〜５ｍｍ（好ましくは３ｍｍ）の薄肉状に形成され、図２に示すように、ハート型の平板に形成された消しゴム本体７と、該本体７の端部に形成された取付部８とを備えている。この取付部８には、前記綴りリング３のペアに煮着脱自在に係合する三つの係合溝９が形成され、該各係合溝９間の間隔は前記各綴りリング３間の間隔と同等に設定されている。
【００１８】
前記各係合溝９は、前記取付部８の側端部を鍵穴状に切り欠いて形成され、前記取付部８の側端部から前記本体７に向かって長方形状に形成された細溝１０と、該細溝１０から連続形成された円形状の幅広孔１１とを有し、該幅広孔１１の内径は前記細溝１０の溝径よりも大きく設定されている。
【００１９】
すなわち、前記細溝１０の溝幅は、前記綴りリング３のペア間の間隔よりもやや小さく設定されている一方、前記幅広孔１１の内径は、前記綴りリング３のペア間の間隔よりも大きく設定されている。
【００２０】
この両者１０．１１間の内周縁には、前記各綴りリング３にそれぞれ係止する左右一対の係止部１２が形成されている。この係止部１２は、前記両者１０．１１間において円弧状に形成されているものとする。
【００２１】
このように構成された消しゴム１をリングノート２に取り付ける際には、まず、消しゴム１を取り付ける位置決めを行う。ここでは綴りリング３のペア群のうち、消しゴムを取り付ける任意位置のペアを定め、これに各係合溝９を対向させる。
【００２２】
この状態のまま綴りリング３の各ペアに各係合溝９を押し付けると、係合溝９の内周縁が弾性変形するため、細溝１０の開口部が開脚する。したがって、各綴りリング３が細溝１０の内周面に案内されながら、幅広孔１１内に遊嵌し、消しゴム１が綴りリング３の各ペアに取り付けられる。
【００２３】
このとき左右の係止部１２がそれぞれ綴りリング３に係止するため、消しゴム１の脱落が防止され、ワンタッチで消しゴムを確実に取り付けることができる。これにより簡易な構造で消しゴムの紛失が防止され、この点で部品点数が抑えられ、コストの抑制に貢献する。
【００２４】
ここで消しゴム１は、薄肉状に形成されていることから、リングノート２が嵩張ることがなく、また綴りリング３のペアが幅広孔１１内に遊嵌しているため、筆記用紙５と同様に捲ることができ、ページ捲りの障害にもならない。
【００２５】
そして、各筆記用紙５間に消しゴム１を挟みこんで取り付ければ、所定ページの目印、即ちしおりとして利用することもできる。また、消しゴム本体７の形状をリングノート２に描写されたキャラクターなどに応じた形状に成型すれば、リングノート２と一体感が生じ、消費者の購買意欲を刺激することもできる。
【００２６】
一方、消しゴム１を引っ張ると、各係合溝９の両係止部１２が弾性変形するため、係止部１２の係止状態が解除される。これと同時に細溝１０が開脚するため、綴りリング３のペアが各係合溝９から外れ、消しゴム１を用いて筆記用紙５の誤記などを消字することができる。
【００２７】
このとき両係止部１２は、円弧状に形成されているため、消しゴム１を取り外すときの破損が防止される。特に非塩ビ系消しゴムなため、各係止部１２が容易に破れることがなく、繰り返して取り付けることができる。
【００２８】
図３は、前記消しゴム１の他例を示している。ここでは二つの前記消しゴム１と、長方形状の消しゴム１５とが前記綴りリング３のペアにそれぞれ着脱自在に取り付けられている。この消しゴム１５の側端部は、三つの前記係合溝９が形成されている。
【００２９】
したがって、前記消しゴム１５を綴りリング３のペアに取り付ける際には、綴りリングのペアに各係合溝９を対向させて押し付ければよい。これにより前記綴りリング３の任意のペアに消しゴム１．１５を適宜選択して取り付けることができる。
【００３０】
なお、前記消しゴム１５の表面にリングノートのキャラクターを描写すれば、リングノート２と一体感が生じ、ここでも消費者の購買意欲を刺激することができる。
【００３１】
図４は、前記消しゴム１５をシステム手帳２０の開閉式の綴りリング２１に着脱自在に取付けた状態を示している。ここでは前記消しゴム１５は、同様に各係合溝９を綴りリング２１に対向させて押し付ければ、前記消しゴム１５の側端部が弾性変形し、綴りリング２１に取り付けることができる。
【００３２】
前記消しゴム１５は、名刺サイズに加工され、一般的な名刺の記載事項（会社名・氏名・電話番号など）が表面および裏面に記載されているものとする。したがって、前記消しゴムは消字性の機能のほか名刺の代用品としても機能し、名刺交換などの際に前記消しゴムを利用することができる。
【００３３】
なお、本発明は、上記実施形態に限定されるものではなく、例えば前記幅広孔１１を横長方形状に形成することもできる。この場合も前記細溝１０と前記幅広孔１１との間に前記係止部１２が形成されるため、同様にワンタッチで確実に消しゴムを取り付けることができる。ここでは左右の前記係止部１５は円弧状に形成することが好ましい。
【符号の説明】
【００３４】
１．１５…消しゴム
２…リングノート
３．２１…綴りリング
４…表紙
５…筆記用紙
６…綴り穴
７…消しゴム本体
８…取付部
９…係合溝
１０…細溝
１１…幅広孔
１２…係止部
２１…システム手帳
【図１】
2010228398.tif 000003
【図２】
2010228398.tif 000004
【図３】
2010228398.tif 000005
【図４】
2010228398.tif 000006
【図５】
2010228398.tif 000007